(57)【特許請求の範囲】
【請求項１】
箱状又は枠状の本体部材と、前記本体部材に取り付けられているとともに制御部品が搭載されている制御部品搭載部材とを備えた遊技機において、
前記本体部材から前記制御部品搭載部材が取り外されることを規制する規制部材を備え、
前記本体部材及び前記制御部品搭載部材のうち何れか一方の部材は、支軸を有する第１取付部を備えている一方で、他方の部材は軸孔を有する第２取付部を備えており、前記制御部品搭載部材は、前記支軸が前記軸孔に挿通された状態で、前記本体部材に対して回動可能に支持されており、
前記規制部材は、
前記第２取付部よりも、前記支軸が延びる方向のうち前記支軸の挿通方向側に配置されていることにより、前記支軸が延びる方向に沿って前記制御部品搭載部材が前記本体部材に対して相対的に移動されることに伴って前記第２取付部と係合する第１係合部と、
前記本体部材及び前記制御部品搭載部材のうち前記第１取付部を備えている部材と係合されていることにより、前記第１取付部を備えている部材に対する前記挿通方向への相対的な移動が規制される第２係合部と、を有し、
前記第１係合部と前記第２係合部とは１つの部材として構成されており、
前記本体部材及び前記制御部品搭載部材のうち前記第２係合部と係合する部材は、前記第２係合部と係合する第３係合部を備えており、
前記第３係合部は、該第３係合部と、前記本体部材及び前記制御部品搭載部材のうち前記第３係合部を備えている部材とを固定するための固定部を有しており、
前記規制部材は、前記固定部のうち少なくとも一部を覆っていることを特徴とする遊技機。
【請求項２】
箱状又は枠状の本体部材と、前記本体部材に取り付けられているとともに制御部品が搭載されている制御部品搭載部材とを備えた遊技機において、
前記本体部材から前記制御部品搭載部材が取り外されることを規制する規制部材を備え、
前記本体部材及び前記制御部品搭載部材のうち何れか一方の部材は、支軸を有する第１取付部を備えている一方で、他方の部材は軸孔を有する第２取付部を備えており、前記制御部品搭載部材は、前記支軸が前記軸孔に挿通された状態で、前記本体部材に対して回動可能に支持されており、
前記規制部材は、
前記第１取付部よりも、前記支軸が延びる方向のうち前記支軸の挿通方向とは反対方向側に配置されていることにより、前記支軸が延びる方向に沿って前記制御部品搭載部材が前記本体部材に対して相対的に移動されることに伴って前記第１取付部と係合する第１係合部と、
前記本体部材及び前記制御部品搭載部材のうち前記第２取付部を備えている部材と係合されていることにより、前記第２取付部を備えている部材に対する前記反対方向への相対的な移動が規制される第２係合部と、を有し、
前記第１係合部と前記第２係合部とは１つの部材として構成されており、
前記本体部材及び前記制御部品搭載部材のうち前記第２係合部と係合する部材は、前記第２係合部と係合する第３係合部を備えており、
前記第３係合部は、該第３係合部と、前記本体部材及び前記制御部品搭載部材のうち前記第３係合部を備えている部材とを固定するための固定部を有しており、
前記規制部材は、前記固定部のうち少なくとも一部を覆っていることを特徴とする遊技機。
【発明の詳細な説明】
【技術分野】
【０００１】
本発明は、箱状又は枠状の本体部材と、本体部材に取り付けられているとともに制御部品が搭載されている制御部品搭載部材とを備えた遊技機に関する。
【背景技術】
【０００２】
従来から、遊技機の一種であるスロットマシン（回胴式遊技機）やパチンコ遊技機は、箱状や枠状である筐体と、例えば主基板や副基板などの制御部品を搭載した制御部品搭載部材とを備えている。そして、遊技機では、筐体の開口部における一側縁部に対して、制御部品搭載部材を回動可能に軸支することが行われている（例えば、特許文献１）。
【０００３】
図１８（ａ）及び（ｂ）に示すように、特許文献１のスロットマシンでは、筐体としての本体キャビネット１００の一側縁部に設けられた支軸１０１を、制御部品搭載部材としての制御ユニット１０２に設けられた軸孔１０３に挿通させることにより、制御ユニット１０２が本体キャビネット１００に対して回動可能に組み付けられている。
【０００４】
また、図１９（ａ）及び（ｂ）に示すように、特許文献１のスロットマシンは、制御ユニット１０２が本体キャビネット１００から取り外されることを規制する規制部材１０４を備えている。なお、図１９（ａ）及び（ｂ）は、図１８（ｂ）に示す３−３線で切断した状態を示している。規制部材１０４は、挿通孔１０６を有する第１部材１０５と、該第１部材１０５とは別体であって第１部材１０５に係合可能な係合部１０８を有する第２部材１０７とを有している。
【０００５】
そして、図１９（ｂ）に示すように、特許文献１では、第１部材１０５の挿通孔１０６に支軸１０１を挿通させた状態において、本体キャビネット１００に設けられた固定片１０９の固定孔１１０に第２部材１０７の係合部１０８を挿通させつつ第１部材１０５に係合させている。これにより特許文献１では、規制部材１０４が全体として支軸１０１の延びる方向に沿って移動不能となるように本体キャビネット１００に固定されている。このため、特許文献１では、支軸１０１が延びる方向に沿って制御ユニット１０２を移動させたとしても、制御ユニット１０２の一部が規制部材１０４に当接することから、制御ユニット１０２の取り外しが規制される。
【先行技術文献】
【特許文献】
【０００６】
【特許文献１】特開２０１１−２４５００９号公報
【発明の概要】
【発明が解決しようとする課題】
【０００７】
しかしながら、特許文献１の規制部材１０４は、第１部材１０５及び第２部材１０７という複数の部材を組み合わせつつ取り付けられることから、規制部材の取付け作業が煩雑になり易いという問題がある。
【０００８】
この発明は、上記従来技術に存在する問題点に着目してなされたものであり、その目的は、規制部材の取付けを簡便にできる遊技機を提供することにある。
【課題を解決するための手段】
【０００９】
上記課題を解決する遊技機は、箱状又は枠状の本体部材と、前記本体部材に取り付けられているとともに制御部品が搭載されている制御部品搭載部材とを備えた遊技機において、前記本体部材から前記制御部品搭載部材が取り外されることを規制する規制部材を備え、前記本体部材及び前記制御部品搭載部材のうち何れか一方の部材は、支軸を有する第１取付部を備えている一方で、他方の部材は軸孔を有する第２取付部を備えており、前記制御部品搭載部材は、前記支軸が前記軸孔に挿通された状態で、前記本体部材に対して回動可能に支持されており、前記規制部材は、前記第２取付部よりも、前記支軸が延びる方向のうち前記支軸の挿通方向側に配置されていることにより、前記支軸が延びる方向に沿って前記制御部品搭載部材が前記本体部材に対して相対的に移動されることに伴って前記第２取付部と係合する第１係合部と、前記本体部材及び前記制御部品搭載部材のうち前記第１取付部を備えている部材と係合されていることにより、前記第１取付部を備えている部材に対する前記挿通方向への相対的な移動が規制される第２係合部と、を有し、前記第１係合部と前記第２係合部とは１つの部材として構成されており、前記本体部材及び前記制御部品搭載部材のうち前記第２係合部と係合する部材は、前記第２係合部と係合する第３係合部を備えており、前記第３係合部は、該第３係合部と、前記本体部材及び前記制御部品搭載部材のうち前記第３係合部を備えている部材とを固定するための固定部を有しており、前記規制部材は、前記固定部のうち少なくとも一部を覆っていることを要旨とする。
【００１０】
上記課題を解決する遊技機は、箱状又は枠状の本体部材と、前記本体部材に取り付けられているとともに制御部品が搭載されている制御部品搭載部材とを備えた遊技機において、前記本体部材から前記制御部品搭載部材が取り外されることを規制する規制部材を備え、前記本体部材及び前記制御部品搭載部材のうち何れか一方の部材は、支軸を有する第１取付部を備えている一方で、他方の部材は軸孔を有する第２取付部を備えており、前記制御部品搭載部材は、前記支軸が前記軸孔に挿通された状態で、前記本体部材に対して回動可能に支持されており、前記規制部材は、前記第１取付部よりも、前記支軸が延びる方向のうち前記支軸の挿通方向とは反対方向側に配置されていることにより、前記支軸が延びる方向に沿って前記制御部品搭載部材が前記本体部材に対して相対的に移動されることに伴って前記第１取付部と係合する第１係合部と、前記本体部材及び前記制御部品搭載部材のうち前記第２取付部を備えている部材と係合されていることにより、前記第２取付部を備えている部材に対する前記反対方向への相対的な移動が規制される第２係合部と、を有し、前記第１係合部と前記第２係合部とは１つの部材として構成されており、前記本体部材及び前記制御部品搭載部材のうち前記第２係合部と係合する部材は、前記第２係合部と係合する第３係合部を備えており、前記第３係合部は、該第３係合部と、前記本体部材及び前記制御部品搭載部材のうち前記第３係合部を備えている部材とを固定するための固定部を有しており、前記規制部材は、前記固定部のうち少なくとも一部を覆っていることを要旨とする。
【発明の効果】
【００１３】
本発明によれば、規制部材の取付けを簡便にできる。
【図面の簡単な説明】
【００１４】
【図１】スロットマシンを模式的に示す図。
【図２】前扉及び制御ユニットを開放した状態のスロットマシンを模式的に示す図。
【図３】（ａ）は、前扉及び制御ユニットを開放した状態であって、規制部材の図示を省略した状態のスロットマシンを模式的に示す図、（ｂ）は、係合部材を拡大して模式的に示す図。
【図４】本体キャビネットを模式的に示す図。
【図５】後側から見たときの制御ユニットを模式的に示す図。
【図６】前側から見たときの制御ユニットを模式的に示す図。
【図７】後側から見たときの前扉を模式的に示す図。
【図８】（ａ）は、前面扉及び制御ユニットを開放した状態のスロットマシンを模式的に示す図、（ｂ）は、規制部材を拡大して模式的に示す図。
【図９】（ａ）は、後側から見たときの規制部材を模式的に示す図、（ｂ）は、前側から見たときの規制部材を模式的に示す図、（ｃ）は、左側から見たときの規制部材を模式的に示す図。
【図１０】図８（ｂ）に示す１−１線で切断したときの図。
【図１１】図８（ｂ）に示す２−２線で切断したときの図。
【図１２】規制部材の取付方法を説明するための図。
【図１３】規制部材の取付方法を説明するための図。
【図１４】規制部材の取付方法を説明するための図。
【図１５】別の実施形態における制御ユニットの軸支部分を模式的に示す図。
【図１６】別の実施形態における制御ユニットの軸支部分を模式的に示す図。
【図１７】別の実施形態における制御ユニットの軸支部分を模式的に示す図。
【図１８】（ａ）は、背景技術のスロットマシンを模式的に示す図、（ｂ）は、（ａ）の一部を拡大して模式的に示す図。
【図１９】（ａ）及び（ｂ）は、背景技術の規制部材の取付方法を説明するための図。
【発明を実施するための形態】
【００１５】
以下、遊技機の一種であるスロットマシンの一実施形態を説明する。本実施形態のスロットマシンは、遊技店等において遊技の提供に供される所謂パチスロとも称される回胴式遊技機である。なお、本明細書において、上、下、左、右、前（表）、後（裏）は、特に断らない限り、遊技者からみたときの上、下、左、右、前（表）、後（裏）をそれぞれ示すものとする。
【００１６】
図１及び図２に示すように、スロットマシン１０は、筐体としての本体キャビネット１１と、本体キャビネット１１の左側縁部に対して回動可能に軸支された制御部品搭載部材としての制御ユニット３０と、該制御ユニット３０の前面側において、本体キャビネット１１の左側縁部に対して回動可能に軸支された前扉５０とを有する。
【００１７】
まず、本体キャビネット１１について詳しく説明する。
図２に示すように、本体キャビネット１１は、全体として略四角箱状であるとともに、前面に開口する開口部１１ａを有する。本体キャビネット１１は、四角形の底板１２と、該底板１２の左縁部から立設された左壁板１３と、底板１２の右縁部から立設された右壁板１４と、底板１２の後縁部から立設された後壁板１５と、各壁板１３〜１５の上端部に連設された天板１６とを有する。前述の開口部１１ａは、底板１２の前縁部１２ａ、左壁板１３の前縁部１３ａ、右壁板１４の前縁部１４ａ、及び天板１６の前縁部１６ａの各縁部に囲われて形成されている。また、各前縁部１３ａ，１４ａは、上方へ向かうほど、上下方向（垂直方向）に対して後方へ向かって傾くように、角度θだけ傾斜している。この角度θは、例えば５°である。本実施形態において、左壁板１３は、本体キャビネット１１を構成する筐体部材として機能する。
【００１８】
本体キャビネット１１の内側において、底板１２には、遊技媒体としてのメダルを貯留するとともに、該貯留しているメダルを払出すホッパー１７が固定されている。また、本体キャビネット１１の内側において、底板１２には、電源ボックス１８が固定されている。
【００１９】
図３及び図４に示すように、左壁板１３の内壁面には、制御ユニット３０及び前扉５０を軸支するための取付金具１９が固定されている。取付金具１９は、その全体が金属製である。取付金具１９は、本体キャビネット１１の内側において、前縁部１３ａの下端から上端にかけて、前縁部１３ａに沿って延びる取付ベース部１９ａを有する。取付金具１９は、取付ベース部１９ａの前縁部の下端から上端までの全体にかけて、取付ベース部１９ａの前縁部から左壁板１３と直交する方向（右方向）へ延びたのち前方に向かって屈曲したベース段部１９ｄを有する。上下方向と直交する平面で切断したときのベース段部１９ｄの形状は、略Ｌ字型である。
【００２０】
図４に示すように、取付金具１９は、取付ベース部１９ａの上端側に配設された第１支軸部２１を有する。第１支軸部２１は、取付ベース部１９ａに固定されているとともに前縁部１３ａに沿って延びる円柱状の支軸ベース部２１ａと、該支軸ベース部２１ａの上端面から前縁部１３ａに沿って延びる略円柱状の支軸２１ｂとを有する。
【００２１】
また、取付金具１９は、上下方向における取付ベース部１９ａの略中央に配設された第１取付部としての第２支軸部２２を有する。第２支軸部２２は、取付ベース部１９ａに固定されているとともに前縁部１３ａに沿って延びる円柱状の支軸ベース部２２ａと、該支軸ベース部２２ａの上端面から前縁部１３ａに沿って延びる略円柱状の支軸２２ｂとを有する。
【００２２】
また、取付金具１９は、取付ベース部１９ａの下端側に配設された第３支軸部２３を有する。第３支軸部２３は、取付ベース部１９ａに固定されているとともに前縁部１３ａに沿って延びる円柱状の支軸ベース部２３ａと、該支軸ベース部２３ａの上端面から前縁部１３ａに沿って延びる略円柱状の支軸２３ｂとを有する。
【００２３】
本実施形態の各支軸部２１〜２３（支軸２１ｂ〜２３ｂ）は、左右方向においてベース段部１９ｄよりも外側（左方）に配設されている。また、前述のように、左壁板１３の前縁部１３ａは、上下方向に対して角度θだけ傾斜していることから、該前縁部１３ａに沿って延びる各支軸２１ｂ〜２３ｂも同様に角度θだけ傾斜している。また、各支軸ベース部２１ａ〜２３ａの上端面も水平ではなく、各支軸２１ｂ〜２３ｂと同様にして、角度θだけ後方に向かって下る傾斜面となっている。
【００２４】
また、図３（ａ）及び（ｂ）に示すように、取付金具１９は、上下方向におけるほぼ中央において、取付ベース部１９ａから左壁板１３の内面に沿って後方に突出する矩形の突出板部１９ｂを有する。また、取付金具１９は、突出板部１９ｂの先端（後端）において、左壁板１３に対して直角な方向（右方）に延びる矩形板状の封止壁１９ｃを有する。
【００２５】
また、取付金具１９は、突出板部１９ｂに固定された金属製の係合部材２４を有する。係合部材２４は、突出板部１９ｂと離間して、且つ突出板部１９ｂと平行に配置された第１壁２４ａと、上下方向における第１壁２４ａの両縁部にそれぞれ連設され、突出板部１９ｂに向かって延びる２つの第２壁２４ｂと、各第２壁２４ｂから上下方向の外側に向かってそれぞれ延びるフランジ部２４ｃとを有する。各フランジ部２４ｃの先端部は、突出板部１９ｂに対して溶接されている。即ち、取付金具１９において、突出板部１９ｂと係合部材２４とは一体に形成されている。
【００２６】
突出板部１９ｂと第１壁２４ａとの間には、突出板部１９ｂ、各フランジ部２４ｃ、及び第１壁２４ａによって囲われた空間Ｓが形成されている。また、第１壁２４ａは、第２支軸部２２側（前方側）に配置される縁部から後方に向かって一定幅で切欠くように形成した切欠き部２４ｄを有する。本実施形態の係合部材２４は第３係合部を構成する。このように、本実施形態の左壁板１３は係合部材２４を備えている部材に対応する。このため、本実施形態の第２支軸部２２は、係合部材を備えている部材の取付部に対応する。
【００２７】
また、取付ベース部１９ａには、該取付ベース部１９ａの下端から上端にかけて、厚さ方向に貫通する複数の挿通孔２５が設けられている。複数の挿通孔２５のうち、特に挿通孔２５ａは、第２支軸部２２の後方であって且つ係合部材２４の前方に設けられている。即ち、本実施形態のスロットマシン１０において、挿通孔２５ａ、及び切欠き部２４ｄ（係合部材２４）は、何れも支軸２２ｂが延びる方向と直交する仮想平面ＲＰ１上に配置されている。そして、取付金具１９は、ネジ２６を各挿通孔２５（挿通孔２５ａ）にそれぞれ挿通させつつ左壁板１３に螺入させることで、ネジ止めされている。したがって、各挿通孔２５（挿通孔２５ａ）のネジ２６は、係合部材２４を含む取付金具１９と、本体キャビネット１１とを固定するための固定部として機能する。なお、以下の説明では、挿通孔２５ａに挿通されたネジ２６を、特にネジ２６ａと区別して示す場合がある。
【００２８】
次に、制御ユニット３０について説明する。
図２に示すように、制御ユニット３０は、略四角枠状である金属製のユニットフレーム３１を有する。ユニットフレーム３１には、該ユニットフレーム３１から後方に突出するようにリールユニット３２が組み付けられている。リールユニット３２は、回胴とも称されるリール（ドラム）として、第１リール３２ａ、第２リール３２ｂ、及び第３リール３２ｃを有する。第１リール３２ａ、第２リール３２ｂ、及び第３リール３２ｃは、左からこの順で並設されている。
【００２９】
各リール３２ａ〜３２ｃには、複数の識別図柄（以下、単に「図柄」と示す）を長手方向に沿って印刷した透光性のフィルムが外側を巻いた状態で取り付けられていることにより、外周面に沿って複数の図柄が配置されている。また、リールユニット３２は、第１リール３２ａを回転（回動）及び停止させるアクチュエータＡａと、第２リール３２ｂを回転及び停止させるアクチュエータＡｂと、第３リール３２ｃを回転及び停止させるアクチュエータＡｃとを有する。各アクチュエータＡａ〜Ａｃは、例えばステッピングモータである。各リール３２ａ〜３２ｃは、各々に対応して設けられたアクチュエータにより独立して縦方向に回転及び停止を可能に構成されている。
【００３０】
詳しくは後述するが、図１に示すように、前扉５０には、スロットマシン１０の機内部に配設されたリールユニット３２（各リール３２ａ〜３２ｃ）を遊技者から視認可能とする表示窓部５２ａが設けられている。スロットマシン１０では、各リール３２ａ〜３２ｃが回転されることにより、表示窓部５２ａにおいて複数の図柄が複数列にわたって、上方から下方に向かって縦方向に変動表示（スクロール表示）され、遊技としての変動ゲームが行われる。
【００３１】
なお、表示窓部５２ａには、停止表示される図柄の組合せが入賞と判定され得る有効ラインＮＬが設定されている。以下の説明において「入賞」とは、有効ラインＮＬ上に停止表示された図柄の組合せが賞を定めた図柄の組合せとなることをいう。スロットマシン１０では、有効ラインＮＬ上に停止表示された図柄の組合せが賞を付与する図柄の組合せである場合、該図柄の組合せに対応した賞が付与される。
【００３２】
図５に示すように、ユニットフレーム３１において、リールユニット３２の上方には、保護ケース３５ａに覆われた主基板３５が固定されている。主基板３５は、各種の処理を実行するとともに、該処理の結果に応じて制御信号（制御コマンド）を出力する。例えば、主基板３５は、所定の開始操作を契機として抽選処理を行う。抽選処理は、入賞を許容する図柄の組合せ（役）を決定するための処理である。また、主基板３５は、リールユニット３２のアクチュエータＡａ〜Ａｃを制御して各リール３２ａ〜３２ｃの動作を制御するリール動作処理を行う。リール動作処理において、主基板３５は、所定の開始操作を契機として各リール３２ａ〜３２ｃの回転を開始させるとともに、所定の停止操作を契機として該停止操作に対応するリールを停止させて図柄を表示窓部５２ａに表示させる。また、主基板３５は、入賞した図柄の組合せに応じて、メダルの払出し、ボーナス遊技の生起、及び再遊技の生起といった賞（遊技価値）を付与する制御を可能である。また、主基板３５は、入賞した図柄の組合せに応じて、再遊技を賞として定めた図柄の組合せ（再遊技役）の当選確率を異ならせた複数の遊技状態の間で遊技状態を遷移させる制御を可能である。
【００３３】
また、図６に示すように、ユニットフレーム３１には、保護ケース３６ａに覆われた副統括基板３６が固定されている。副統括基板３６は、リールユニット３２の上方であって主基板３５の前方に配設されている。副統括基板３６は、主基板３５から入力した制御信号をもとに各種の処理を実行するとともに、該処理の結果に応じて制御信号を出力する。副統括基板３６は、例えばスロットマシン１０における演出モード（演出状態）を移行させるためのモード移行処理を行う。このような演出モードには、例えば図柄の組合せ（役）の入賞を補助（アシスト）する補助演出が行われない通常演出モードや、該補助演出が行われ得る特別演出モード（所謂、アシストタイム）などがある。モード移行処理において、副統括基板３６は、主基板３５で行われる抽選処理の結果や、入賞した図柄の組合せの種類に基づいて、演出モードの移行可否や移行先の演出モードを決定する。
【００３４】
また、ユニットフレーム３１には、保護ケース３７ａに覆われた副基板３７が固定されている。副基板３７は、リールユニット３２の上方であって主基板３５の前方に配設されている。副基板３７は、副統括基板３６から入力した制御信号をもとに各種の処理を実行するとともに、該処理の結果に応じて後述する各種の演出実行装置を制御し、各種の演出を実行させる。
【００３５】
そして、ユニットフレーム３１において、左側縁部の上端側には、略円筒状である金属製の第１軸孔部３８が配設されている。第１軸孔部３８は、本体キャビネット１１の支軸２１ｂが挿通される軸孔３８ａを有する。第１軸孔部３８の長さは、支軸２１ｂよりも短い。また、ユニットフレーム３１において、左側縁部の下端側には、略円筒状である金属製の第２軸孔部３９が配設されている。第２軸孔部３９は、本体キャビネット１１の支軸２２ｂが挿通される軸孔３９ａを有する。第２軸孔部３９の長さは、支軸２２ｂよりも短い。
【００３６】
本実施形態において、軸孔３８ａには、本体キャビネット１１の支軸２１ｂが挿通されているとともに、軸孔３９ａには、本体キャビネット１１の支軸２２ｂが挿通されている。そして、制御ユニット３０は、第１軸孔部３８の下端面が支軸ベース部２１ａの上端面に接触し、且つ第２軸孔部３９の下端面と支軸ベース部２２ａの上端面とが接触することにより、本体キャビネット１１に対して回動可能に支持されている。
【００３７】
この状態において、支軸２１ｂの先端部は、第１軸孔部３８の上端面から上方に突出している。また、支軸２２ｂの先端部は、第２軸孔部３９の上端面から上方に突出している。本実施形態において、第２軸孔部３９は、軸孔３９ａを有する第２取付部となる。
【００３８】
次に、前扉５０について説明する。
図１に示すように、前扉５０の前面には、各種の装飾を施した枠状の装飾部材５１が組み付けられている。前扉５０の前面には、装飾ランプＬＡが配設されている。装飾ランプＬＡは、前述した副基板３７により制御される演出実行装置の一つであり、演出の一つとして図示しない発光体を点灯、消灯、及び点滅させて行う発光演出を実行可能である。
【００３９】
また、前扉５０には、装飾部材５１の開口部５１ａから視認可能となるように、該開口部５１ａに整合一致させた状態で演出表示装置５２が組み付けられている。本実施形態の演出表示装置５２は、透過型液晶ディスプレイ（透明液晶ディスプレイ）である。演出表示装置５２は、前述した副基板３７により制御される演出実行装置の一つであり、演出の一つとして各種の画像を表示して行う表示演出を実行可能である。
【００４０】
また、前扉５０には、リールユニット３２（各リール３２ａ〜３２ｃ）を遊技者から視認可能とする四角形の表示窓部５２ａが設けられている。本実施形態において、表示窓部５２ａは、正面から見たときに演出表示装置５２の画像表示領域と重なる位置に設けられている。スロットマシン１０では、演出表示装置５２の画像表示領域のうち、正面から見たときに表示窓部５２ａと重なる領域（以下、重複領域と示す）において画像を表示することで、各リール３２ａ〜３２ｃに配置された図柄と演出表示装置５２に映し出された画像とが重ね合された状態で遊技者に視認させることが可能である。また、スロットマシン１０では、演出表示装置５２における重複領域において画像を表示しないことで、各リール３２ａ〜３２ｃに配置された図柄のみを遊技者に視認させることが可能である。
【００４１】
また、演出表示装置５２の画像表示領域には、変動ゲームに関する各種の情報を表示するための情報表示部５２ｂが設定されている。情報表示部５２ｂには、例えば、賭数表示部、貯留枚数表示部、及び賞枚数表示部などを含む。賭数表示部では、変動ゲームにおいてベットされたメダルの枚数が表示される。貯留枚数表示部では、機内部で貯留しているクレジット数が表示される。賞枚数表示部では、変動ゲーム中に入賞が発生した場合に、当該入賞に基づいて払出されるメダルの枚数を表示される。
【００４２】
前扉５０の前面において、演出表示装置５２の右下方には、メダル投入口５４が配設されている。また、前扉５０の前面において、演出表示装置５２の左下方には、ＢＥＴボタン５３が配設されている。ＢＥＴボタン５３は、スロットマシン１０の機内部に記憶されているクレジットから所定枚数のメダル分をベットするときに操作するボタンである。また、前扉５０の前面において、ＢＥＴボタン５３の左下方には、精算ボタン５５が配設されている。精算ボタン５５は、ベットされたメダル、又は機内部に記憶されているクレジットを払い戻すときに操作するボタンである。
【００４３】
また、前扉５０の前面において、精算ボタン５５の右方には、変動ゲームを開始させる契機となる開始操作をするためのスタートレバー５６が配設されている。また、前扉５０の前面において、スタートレバー５６の右方には、変動ゲームを終了させる契機となる停止操作をするためのボタンとして、第１ストップボタン５７ａ、第２ストップボタン５７ｂ、及び第３ストップボタン５７ｃがこの順で左から並ぶように配設されている。第１ストップボタン５７ａは、第１リール３２ａの停止操作を可能であり、第２ストップボタン５７ｂは、第２リール３２ｂの停止操作を可能であり、第３ストップボタン５７ｃは、第３リール３２ｃの停止操作を可能である。
【００４４】
また、前扉５０の前面における下部中央には、スロットマシン１０の機内部からメダルが払出されるメダル排出口５８が設けられている。また、前扉５０の前面における下部には、メダル排出口５８から排出されたメダルを受ける受皿５９が配設されている。
【００４５】
また、図２、図３、及び図７に示すように、前扉５０の裏面において、演出表示装置５２の下方には、メダル投入口５４から投入されたメダルを受け入れるメダルセレクタ６０が配設されている。また、メダルセレクタ６０には、該メダルセレクタ６０から排出されたメダルをホッパー１７へ案内する第１案内路６１が連設されている。また、前扉５０の裏面には、ホッパー１７から払出されたメダルをメダル排出口５８へ案内する第２案内路６２が配設されている。前扉５０の裏面において、演出表示装置５２の下方には、スピーカＳＰが配設されている。スピーカＳＰは、前述した副基板３７により制御される演出実行装置の一つであり、演出の一つとして音声を出力して行う音声演出を実行可能である。
【００４６】
そして、図７に示すように、前扉５０の裏面において、左側縁部の上端側には、略円筒状である金属製の第３軸孔部６３が配設されている。第３軸孔部６３は、本体キャビネット１１の支軸２１ｂが挿通される軸孔６３ａを有する。また、前扉５０の裏面において、左側縁部の下端側には、略円筒状である金属製の第４軸孔部６４が配設されている。第４軸孔部６４は、本体キャビネット１１の支軸２３ｂが挿通される軸孔６４ａを有する。
【００４７】
本実施形態において、軸孔６３ａには、本体キャビネット１１の支軸２１ｂが挿通されているとともに、軸孔６４ａには、本体キャビネット１１の支軸２３ｂが挿通されている。そして、前扉５０は、第３軸孔部６３の下端面が第１軸孔部３８の上端面に接触し、且つ第４軸孔部６４の下端面と支軸ベース部２３ａの上端面とが接触することにより、本体キャビネット１１に対して回動可能に支持されている。
【００４８】
そして、図８（ａ）及び（ｂ）に示すように、本実施形態のスロットマシン１０は、本体キャビネット１１から制御ユニット３０が取り外されることを規制する規制部材７０を備えている。規制部材７０は、支軸２２ｂ（第２支軸部２２）に対して組付けられている。以下詳しく説明する。
【００４９】
図８（ｂ）及び図９（ａ）〜（ｃ）に示すように、規制部材７０は、全体が所定色（例えば緑色）に着色されているとともに、内部を透視可能な透明な樹脂材料製（例えばポリカーボネート製）である。本実施形態の規制部材７０は、例えば金型を用いた射出成形によって、その全体が複数の部品を組み合わせることなく一体に形成されている。
【００５０】
規制部材７０の基端には、支軸２２ｂが挿通されている挿通孔７１ａを有する略円筒状の第１係合部７１が設けられている。以下の説明では、挿通孔７１ａに対する支軸２２ｂの挿通方向を単に挿通方向ＳＤと示すものとする。本実施形態の挿通方向ＳＤは、支軸２２ｂが延びる方向のうち、上方に向かう方向となる。換言すれば、本実施形態の挿通方向ＳＤは、支軸２２ｂが延びる方向のうち、支軸２２ｂの先端側に向かう方向となる。第１係合部７１の下端面は、平滑な円環状の平面である。第１係合部７１の上端には、上方から下方に向けて切り欠いた段部７１ｂが設けられている。
【００５１】
規制部材７０は、第１係合部７１から右方に向かって延びたのちに、ベース段部１９ｄの右側面に沿うように後方へ向かって屈曲した板状の腕部７２を有する。腕部７２の形状は、上方から見たときに略Ｌ字型である。また、腕部７２の先端部は、右方から見たときに挿通孔２５ａ及びネジ２６ａと重なっている。即ち、挿通孔２５ａ及びネジ２６ａは、左右方向において腕部７２によって覆われている。
【００５２】
腕部７２の先端部において左壁板１３側の面には、その先端面が取付ベース部１９ａに接触（又は近接）するように、腕部７２から取付ベース部１９ａに向かって延びる延出部７３が設けられている。延出部７３は、腕部７２の先端に配設された第１壁７３ａと、上下方向における第１壁７３ａの各縁部に連設された２つの第２壁７３ｂとを有する。このため、左右方向と直交する平面で切断したときの延出部７３の断面形状は、前方（ベース段部１９ｄ側）に開口し、且つ右方から見たときに挿通孔２５ａ及びネジ２６ａを囲うコの字型である。
【００５３】
図１０に示すように、規制部材７０を組み付けた状態において、各第２壁７３ｂの縁部のうち第１係合部７１側に配置される縁部は、ベース段部１９ｄに接触（又は近接）しているとともに、それぞれ基端から先端に向かって徐々に第１係合部７１から離間するように傾斜している。腕部７２及び延出部７３は、上下方向から見たときにベース段部１９ｄを迂回するようにコの字型となるように配置されている。したがって、挿通孔２５ａ及びネジ２６ａは、上下方向及び前後方向において延出部７３によって覆われている。
【００５４】
また、図８（ｂ）及び図９（ａ）〜（ｃ）に示すように、腕部７２の先端には、該腕部７２が延びる方向（前後方向）に沿って延びる連結部７５の基端が連設されている。連結部７５は、腕部７２の右側面と面一となるように配設された板状の第１板部７５ａと、該第１板部７５ａにおける取付ベース部１９ａ側の面から取付ベース部１９ａに向かって延びる板状の第２板部７５ｂとを有する。連結部７５は、前後方向と直交する平面で切断したときの断面形状がＴ字型である。即ち、上下方向に沿った幅は、第１板部７５ａよりも第２板部７５ｂの方が狭い。
【００５５】
また、連結部７５の先端部には、左方及び後方に開口する略箱状の第２係合部７７が連設されているとともに、この第２係合部７７は係合部材２４を覆っている。詳しく説明すると、第２係合部７７は、腕部７２及び第１板部７５ａの右側面と面一となるように、且つ係合部材２４の第１壁２４ａに沿うように後方へ向かって延びる板状の第１壁７７ａを有する。また、第２係合部７７は、その先端面が係合部材２４のフランジ部２４ｃに接触（又は近接）するように、上下方向における第１壁７７ａの各縁部からフランジ部２４ｃ（突出板部１９ｂ）へ向かって延びる第２壁７７ｂを有する。規制部材７０を組み付けた状態において、２つの第２壁７７ｂは、それぞれ先端がフランジ部２４ｃに接触（又は近接）した状態であって、且つそれぞれ第２壁２４ｂに沿って延びるように配設されている。
【００５６】
また、第２係合部７７は、その先端面が突出板部１９ｂに接触（又は近接）するように、前後方向における第１壁７７ａの縁部のうち前縁部から突出板部１９ｂへ向かって延びる第３壁７７ｃを有する。規制部材７０を組み付けた状態において、第３壁７７ｃは、係合部材２４の前方に配設されており、該係合部材２４の開口部を覆っている。
【００５７】
第２係合部７７は、各壁７７ａ，７７ｂの後端面からそれぞれ後方に向かって突出するコ字型の突出壁７７ｄを有しており、第２係合部７７には、各壁７７ａ，７７ｂの後端面と突出壁７７ｄとによって段部７７ｅが設けられている。規制部材７０を組み付けた状態において、段部７７ｅには、封止壁１９ｃが挿入されており、第２係合部７７の後方の開口部は、封止壁１９ｃによって覆われている。
【００５８】
そして、図１１に示すように、第２係合部７７は、第１壁７７ａにおける突出板部１９ｂ側の面から突出板部１９ｂに向かって突出し、切欠き部２４ｄに係合する係合片７８を有する。係合片７８は、第１壁７７ａにおける突出板部１９ｂ側の面から突出板部１９ｂに向かって延びる延出部７８ａと、該延出部７８ａの先端から第１壁７７ａへ向かって斜状に延びる２つの変形部７８ｂとを有しており、その全体として矢印形状である。２つの変形部７８ｂのうち一方の先端から他方の先端迄の上下方向に沿った幅（以下、単に係合片７８の幅と示す）は、上下方向に沿った切欠き部２４ｄの幅よりも大きい。また、２つの変形部７８ｂは、各先端部がそれぞれ延出部７８ａに近接ように弾性変形を可能である。２つの変形部７８ｂは、上下方向から力を加えることで、上下方向に沿った係合片７８の幅が切欠き部２４ｄの幅より小さくなるまで変形可能である。このため、係合片７８は、各変形部７８ｂを切欠き部２４ｄから空間Ｓに挿入させることで、係合部材２４に対して係合可能に構成されている。
【００５９】
そして、図９（ｃ）に示すように、本実施形態の規制部材７０において、腕部７２、第２係合部７７、及び係合片７８は、何れも第１係合部７１（挿通孔７１ａ）が延びる方向と直交する仮想平面ＲＰ２上に配置されている。さらに、第１係合部７１に対する腕部７２、第２係合部７７、及び係合片７８の配設位置は、第１係合部７１の下端面と第２軸孔部３９の上端面とを接触させた状態において、仮想平面ＲＰ２と、挿通孔２５ａ、ネジ２６ａ、及び切欠き部２４ｄ（係合部材２４）が位置する仮想平面ＲＰ１とが一致する位置に設定されている。以上のように、本実施形態の規制部材７０において、第１係合部７１と第２係合部７７とは、１つの部材として構成されている。
【００６０】
次に、規制部材７０の取付方法について、作用とともに詳しく説明する。
図１２に示すように、第１軸孔部３８の軸孔３８ａに支軸２１ｂを挿通させるとともに、第２軸孔部３９の軸孔３９ａに支軸２２ｂを挿通させ、本体キャビネット１１に対して制御ユニット３０を回動可能に組み付ける。この状態において、制御ユニット３０は、本体キャビネット１１に対して上方へ相対的に移動させることで、本体キャビネット１１から取り外すことが可能である。また、支軸２２ｂの先端は、第２軸孔部３９の上端面から上方に突出している。
【００６１】
続けて、図１３において矢印Ｙ１に示すように、規制部材７０を第２支軸部２２の上方から下方に向かって移動させることで、挿通孔７１ａに支軸２２ｂを挿通させる。これにより、第１係合部７１は、規制部材７０が支軸２２ｂを中心として回動可能となるように支軸２２ｂに取り付けられる。第１係合部７１の下端面は、既に組付けられている制御ユニット３０の第２軸孔部３９の上端面と接触する。また、規制部材７０の第１係合部７１は、支軸２２ｂにおいて第２軸孔部３９よりも上方、即ち第２軸孔部３９よりも、支軸２２ｂが延びる方向のうち支軸２２ｂの挿通方向ＳＤ側に配置される。換言すれば、規制部材７０の第１係合部７１は、支軸２２ｂにおいて第２軸孔部３９よりも支軸２２ｂの先端側に配置される。このため、第１係合部７１は、仮に支軸２２ｂが延びる方向に沿って制御ユニット３０が本体キャビネット１１に対して相対的に移動される場合、制御ユニット３０の第２軸孔部３９と係合する。
【００６２】
そして、図１４に示すように、規制部材７０を支軸２２ｂに組み付けた状態では、腕部７２、第２係合部７７、及び係合片７８が位置する仮想平面ＲＰ２と、挿通孔２５ａ、ネジ２６ａ、及び係合部材２４（切欠き部２４ｄ）が位置する仮想平面ＲＰ１とが一致する。このため、図中において矢印Ｙ２で示すように、規制部材７０を係合部材２４に向かって傾動させることにより、挿通孔２５ａ及びネジ２６ａを延出部７３で囲うように、極めて簡便に規制部材７０を配置できる。
【００６３】
また、規制部材７０は、全体が１つの部材として構成されていることから、規制部材７０を係合部材２４に向かって傾動させることにより、係合部材２４の全体を第２係合部７７で囲いつつ、係合片７８の先端（変形部７８ｂ）を切欠き部２４ｄに当接させることができる。即ち、係合部材２４は、規制部材７０を回動させた場合に第２係合部７７と係合可能な位置に設けられている。このとき、規制部材７０は、第２支軸部２２の全体が本体キャビネット１１の開口部１１ａに沿って傾斜されていることから、自重によって係合部材２４へ向かって傾動される。したがって、本実施形態では、係合片７８と切欠き部２４ｄとが当接した状態となるように、規制部材７０を支軸２２ｂに簡便に組み付けることができる。
【００６４】
そして、図１１に示すように、係合片７８の変形部７８ｂと切欠き部２４ｄとが当接した状態において、第２係合部７７に対して左壁板１３へ向かう方向にさらに押圧すると、各変形部７８ｂがそれぞれ延出部７８ａに向かって弾性変形し、係合片７８としての幅が小さくなって切欠き部２４ｄを通過可能となる。そして、変形部７８ｂは、切欠き部２４ｄを通過して空間Ｓ内に到達すると、各変形部７８ｂに対して力が加わらなくなり、元の形状に復元される。この状態において、一方の変形部７８ｂの先端から他方の変形部７８ｂの先端までの幅は、切欠き部２４ｄの幅よりも大きい。このため、規制部材７０を左壁板１３から離間する方向へ回動させようとしても、２つの変形部７８ｂが係合部材２４の内壁面のうち切欠き部２４ｄまわりで当接し、その回動が規制される。
【００６５】
また、この状態において、規制部材７０は、支軸２２ｂの挿通方向ＳＤへ移動させようとしても、切欠き部２４ｄと係合片７８とが当接するとともに、第２係合部７７の第２壁７７ｂと係合部材２４の第２壁２４ｂとが当接する。このため、規制部材７０は、支軸２２ｂまわりでの回動に加えて、挿通方向ＳＤに沿った移動が規制される。
【００６６】
本実施形態において、第２支軸部２２を有する取付金具１９は、本体キャビネット１１に固定されている。したがって、本実施形態において、規制部材７０の第２係合部７７は、本体キャビネット１１に係合されるものとして把握できる。そして、規制部材７０の第２係合部７７は、第２支軸部２２を有する本体キャビネット１１と係合されていることにより、本体キャビネット１１に対する挿通方向ＳＤへの相対的な移動が規制されている。即ち、第１係合部７１と第２係合部７７とが１つの部材として構成された規制部材７０は、挿通方向ＳＤに沿った移動が不能となるように本体キャビネット１１に対して固定されている。
【００６７】
そして、第２軸孔部３９は、制御ユニット３０を挿通方向ＳＤに沿って上方へ移動させようとした場合、挿通方向ＳＤに沿った移動が規制されている規制部材７０の第１係合部７１に係合する。このため、本実施形態では、第２軸孔部３９を支軸２２ｂから取り外すことができず、結果として制御ユニット３０が本体キャビネット１１から取り外されることを規制できる。したがって、正規な主基板３５、副統括基板３６、及び副基板３７が制御ユニット３０ごと不正な基板群と入れ替えられてしまうことを好適に抑制できる。
【００６８】
また、係合片７８が挿入される空間Ｓは、突出板部１９ｂ、封止壁１９ｃ、係合部材２４、及び第２係合部７７の第３壁７７ｃによって囲われている。このため、例えばニッパなどの工具を用いて係合片７８の延出部７８ａを切断することが極めて困難である。さらに、挿通孔２５ａ及びネジ２６ａは、右方から見たときに、腕部７２によって覆われている。このため、本実施形態では、右方からネジ２６ａにアクセスし、ドライバなどの工具を用いて取り外すことが困難である。特に、本実施形態において、挿通孔２５ａ及びネジ２６ａは、腕部７２に加えて、ベース段部１９ｄ、及び延出部７３に囲われた空間内に収容されていることから、規制部材７０を取り外すことなく、ドライバなどの工具を用いてネジ２６ａを取り外すことがさらに困難である。このため、本実施形態では、第２支軸部２２や係合部材２４が１つの部材として構成された取付金具１９ごと制御ユニット３０が本体キャビネット１１から取り外されることを好適に防止できる。
【００６９】
また、連結部７５は、上下方向に沿った第２板部７５ｂの幅よりも、第１板部７５ａの幅のほうが大きい。このため、例えばニッパなどの工具を用いても、連結部７５を極めて簡単には切断できないようになっている。また、連結部７５は、その断面形状がＴ字型であり、該連結部７５の強度が高められている。このため、連結部７５は、仮に制御ユニット３０が上方へ移動された場合であっても容易に曲がったり破断したりせず、第２軸孔部３９が支軸２２ｂから取り外されないようになっている。
【００７０】
次に、規制部材７０の取外し方法について作用とともに詳しく説明する。
まず、例えばニッパなどの工具によって連結部７５を切断する。次に、支軸２２ｂまわりで腕部７２を左壁板１３から離間する方向へ回動させるとともに、第１係合部７１及び腕部７２を挿通方向ＳＤに沿って上方に移動させることにより支軸２２ｂから取り外す。これにより、制御ユニット３０を挿通方向ＳＤに沿って上方へ移動させることにより、本体キャビネット１１から取り外すことができる。したがって、例えばリールユニット３２や各基板３５〜３７が故障した場合であっても、簡便に部品を交換するなどの処置をとることができる。
【００７１】
なお、第２係合部７７は、該第２係合部７７を前方に向けて、即ち切欠き部２４ｄの開口に向けてスライドさせることにより、第２係合部７７を係合部材２４から取り外すことができる。なお、本実施形態のスロットマシン１０では、連結部７５を切断することなく、制御ユニット３０を本体キャビネット１１から取り外すことが極めて困難である。したがって、連結部７５が切断されているという痕跡から、制御ユニット３０が交換されている可能性があることを容易に推定することができる。
【００７２】
したがって、本実施形態によれば、以下に示す効果を得ることができる。
（１）第２軸孔部３９よりも、支軸２２ｂが延びる方向のうち挿通方向ＳＤ側に第１係合部７１を配置した状態で、該第１係合部７１と１つの部材として構成されている第２係合部７７を本体キャビネット１１に係合させることで、制御ユニット３０が本体キャビネット１１から取り外されることを規制できる。したがって、本実施形態では、第１係合部７１を有する部材と、第２係合部７７を有する部材とを異なる部材として設ける場合と比較して、規制部材７０の取付けを簡便にできる。
【００７３】
（２）支軸２２ｂを中心として規制部材７０を回動させることによって、第２係合部７７と係合部材２４とを係合させることができる。したがって、本実施形態では、規制部材７０の取付けをより簡便にできる。
【００７４】
（３）規制部材７０によって、本体キャビネット１１と係合部材２４（取付金具１９）とを固定するネジ２６ａのうち少なくとも一部が覆われる。したがって、本実施形態では、係合部材２４（取付金具１９）を本体キャビネット１１から取り外すことによって制御ユニット３０が本体キャビネット１１から取り外されることを規制できる。
【００７５】
（４）特に、本実施形態のネジ２６ａは、腕部７２に加えて、延出部７３、及びベース段部１９ｄに囲われた空間内に収容されている。このため、ドライバなどの工具を用いてネジ２６を取り外すことで、制御ユニット３０が本体キャビネット１１から取り外されることをさらに抑制できる。
【００７６】
（５）第２支軸部２２と係合部材２４とは、１つの取付金具１９として構成されている。このため、本体キャビネット１１から該第２支軸部２２を取り外すことによって制御ユニット３０が本体キャビネット１１から取り外されることを規制できる。
【００７７】
（６）連結部７５を切断しようとする場合、本体キャビネット１１のうち左壁板１３とは反対側、即ち、上下方向に沿った幅が広い側からアクセスして切断することになる。したがって、本実施形態では、例えば左壁板１３側の幅よりも反対側の幅の方が狭い場合や、一定である場合などと比較して、切断の際に作業者がアクセスする側の強度を向上させ、連結部７５を切断し難くできる。このため、本実施形態では、連結部７５を切断することによって規制部材７０が取り外され、制御ユニット３０が本体キャビネット１１から取り外され難くできる。
【００７８】
（７）規制部材７０は、第１係合部７１を支軸２２ｂに取り付けた状態において、支軸２２ｂを中心とした回動方向のうち係合部材２４へ向かう方向へ傾動する。このため、規制部材７０を係合部材２４に向かう方向へ回動させ易くなる。したがって、本実施形態では、規制部材７０と係合部材２４とを係合させ易くなるため、規制部材７０の取付けをより簡便にできる。
【００７９】
（８）係合片７８が挿入される空間Ｓは、突出板部１９ｂ、封止壁１９ｃ、係合部材２４、及び第２係合部７７の第３壁７７ｃによって囲われている。このため、例えばニッパなどの工具を用いて係合片７８の延出部７８ａを切断することで、規制部材７０と係合部材２４との係合を解除し難くできる。
【００８０】
なお、上記実施形態は、次のような別の実施形態（別例）にて具体化できる。
・図１５に示すように、制御ユニット３０には第２支軸部２２を設ける一方で、本体キャビネット１１には第２軸孔部３９を設けてもよい。そして、第２支軸部２２は、開口部１１ａの傾斜に沿って下方に延びるように支軸２２ｂを配置するとともに、第２軸孔部３９の軸孔３９ａに対して上方から支軸２２ｂを挿通させる。この場合、規制部材７０の挿通孔７１ａに対して、第２軸孔部３９から下方に突出する支軸２２ｂを挿通させるとともに、規制部材７０を回動させて制御ユニット３０に配設された係合部材２４に係合片７８を係合させるとよい。本別例においても、第１係合部７１は、第２軸孔部３９よりも、支軸２２ｂが延びる方向のうち挿通方向ＳＤ側に配置されている。換言すれば、第１係合部７１は、支軸２２ｂにおいて第２軸孔部３９よりも支軸２２ｂの先端側に配置されている。これにより、第１係合部７１は、支軸２２ｂが延びる方向に沿って制御ユニット３０が本体キャビネット１１に対して相対的に移動されることに伴って第２軸孔部３９と係合する。そして、第２係合部７７は、第２支軸部２２を備えている制御ユニット３０に係合されていることにより、制御ユニット３０に対する挿通方向ＳＤへの規制部材７０の相対的な移動を規制する。
【００８１】
・図１６に示すように、制御ユニット３０には第２支軸部２２を設ける一方で、本体キャビネット１１には第２軸孔部３９を設けてもよい。この場合、支軸ベース部２２ａの上端面、及び下端面のそれぞれに支軸２２ｂを設け、下端面側の支軸２２ｂを軸孔３９ａに挿通させる一方で、上端面側の支軸２２ｂに第１係合部７１を組み付ける。そして、支軸２２ｂを中心に規制部材７０を回動させることにより、本体キャビネット１１に設けられた係合部材２４に係合片７８を係合させる。本別例において、規制部材７０の第１係合部７１は、第２支軸部２２よりも、支軸２２ｂの延びる方向のうち挿通方向ＳＤとは反対方向側に配置されている。換言すれば、規制部材７０の第１係合部７１は、第２支軸部２２よりも、軸孔３９ａに挿通されている支軸２２ｂの先端側とは反対側に配置されている。このため、本別例において、第１係合部７１は、支軸２２ｂが延びる方向に沿って制御ユニット３０が本体キャビネット１１に対して相対的に移動されることに伴って第２支軸部２２と係合する。そして、第２係合部７７は、第２軸孔部３９を有する本体キャビネット１１（係合部材２４）に係合されていることにより、本体キャビネット１１に対する挿通方向ＳＤとは前記反対方向への規制部材７０の相対的な移動を規制する。
【００８２】
・図１７に示すように、規制部材７０の第１係合部７１は、第２支軸部２２よりも、支軸２２ｂの延びる方向のうち挿通方向ＳＤとは反対方向側に配置されていてもよい。この場合、支軸ベース部２２ａの上端面、及び下端面のそれぞれに支軸２２ｂを設け、上端面側の支軸２２ｂを軸孔３９ａに挿通させる一方で、下端面側の支軸２２ｂに第１係合部７１を組み付ける。つまり、本別例では、第２支軸部２２よりも、軸孔３９ａに挿通されている支軸２２ｂの先端側とは反対側に第１係合部７１を組み付ける。そして、支軸２２ｂを中心に規制部材７０を回動させることにより、制御ユニット３０に設けられた係合部材２４に係合片７８を係合させる。本別例において、第１係合部７１は、支軸２２ｂが延びる方向に沿って制御ユニット３０が本体キャビネット１１に対して相対的に移動されることに伴って第２支軸部２２と係合する。そして、第２係合部７７は、第２軸孔部３９を有する制御ユニット３０（係合部材２４）に係合されていることにより、制御ユニット３０に対する前記反対方向への規制部材７０の相対的な移動を規制する。
【００８３】
・取付ベース部１９ａ、突出板部１９ｂ、封止壁１９ｃ、ベース段部１９ｄ、及び第２支軸部２２のうち一部又は全部について、別の部材として構成されていてもよい。例えば、第２支軸部２２や突出板部１９ｂ（係合部材２４）は、取付金具１９とは別体であってもよい。
【００８４】
・突出板部１９ｂに対する係合部材２４の固定方法は適宜変更できる。例えば、ネジやリベットにより固定されていてもよい。また、突出板部１９ｂと係合部材２４とは一体に形成されていてもよい。
【００８５】
・取付金具１９は、その一部又は全部がプラスチック製の取付具であってもよい。
・本体キャビネット１１の開口部１１ａは、傾斜していなくてもよい。この場合、規制部材７０は係合部材２４に向かって傾動しないものの、規制部材７０を回動させることで容易に係合部材２４に係合させることができる。
【００８６】
・取付金具１９は、ネジ２６に代えてリベットやボルトなどによって左壁板１３に固定されていてもよい。また、取付金具１９を固定するネジ２６（挿通孔２５）の個数や固定位置を変更してもよい。
【００８７】
・第１係合部７１は、制御ユニット３０が本体キャビネット１１に対して相対的に移動された場合に、第２軸孔部３９と係合可能な形状であればよく、例えば角筒状や、支軸２２ｂに接触するように配置される板状であってもよい。
【００８８】
・規制部材７０は、支軸２２ｂとは異なる部分を中心として回動可能であってもよい。
・規制部材７０は回動不能であってもよい。この場合、規制部材７０は、単に第２軸孔部３９と係合可能な位置に固定されておればよい。
【００８９】
・連結部７５は、左壁板１３側の幅が左壁板１３とは反対側の幅よりも狭ければよく、連結部７５の形状を適宜変更してもよい。例えば、連結部７５は、前後方向と直交する平面で切断したときの断面形状が三角形であってもよい。また、連結部７５は、左壁板１３側の幅と左壁板１３とは反対側の幅とが同一であってもよく、左壁板１３側のほうが広くなっていてもよい。
【００９０】
・係合片７８の形状を変更してもよい。例えば、第１壁７７ａにおける突出板部１９ｂ側の面から相互に対向する板状の延出部７８ａを突出板部１９ｂに向かって延出させる。そして、各延出部７８ａの対向面とは反対面には、それぞれ先端部から第１壁７７ａに向かって斜状に延びる係止部を設ける。このように構成しても、主に２つの延出部７８ａが相互に近接する方向へ弾性変形することで係合片７８としての幅が狭くなり、係合片７８を切欠き部２４ｄに挿入し係合させることができる。
【００９１】
・規制部材７０は、支軸２２ｂの側方に配設されたネジ２６ａの一部を覆っていてもよい。また、規制部材７０は、全てのネジ２６のうち一部である複数のネジ２６を覆っていてもよく、全てのネジ２６を覆っていてもよい。なお、規制部材７０は、ネジ２６を覆っていなくてもよいが、取付金具１９の取外しを規制する観点によれば、上記実施形態のように構成することが好ましい。
【００９２】
・規制部材７０は、該規制部材７０が支軸２２ｂから脱落しない範囲内であれば、支軸２２ｂが延びる方向に沿って移動可能であってもよい。即ち、上下方向において、係合片７８と切欠き部２４ｄとの間や、第２係合部７７の第２壁７７ｂと係合部材２４の第２壁２４ｂとの間にクリアランスがあってもよい。
【００９３】
・規制部材７０には切欠き部２４ｄを設ける一方で、係合部材２４には係合片７８を設けてもよい。また、第２係合部７７及び係合部材２４には、相互に係合可能な鈎状の係合部をそれぞれ設け、該係合部同士を係合させてもよい。即ち、第２係合部７７及び係合部材２４は、相互に係合可能な構成であれば、その形状を適宜変更できる。
【００９４】
・規制部材７０は、該規制部材７０が支軸２２ｂから脱落しない形状であればよく、例えばひも状の部材などとしてもよい。
・係合部材２４には、切欠き部２４ｄに代えて係合片７８を挿通可能な丸孔や角孔を設けてもよい。
【００９５】
・規制部材７０は、第２支軸部２２に代えて、第１支軸部２１や第３支軸部２３に対して取り付けられていてもよい。
・複数の規制部材７０を備えていてもよい。例えば、規制部材７０は、第２支軸部２２に加えて、第１支軸部２１及び第３支軸部２３の一部又は全部に対して取り付けられていてもよい。
【００９６】
・規制部材７０は、複数の部材を予め組み合わせて構成された１つの部材であってもよい。このように構成しても、規制部材７０の取付けを簡便にできる。
・主基板３５、副統括基板３６、及び副基板３７といった制御部品の一部又は全部は、前扉５０に搭載されていてもよい。この場合、第１支軸部２１や第３支軸部２３に対して規制部材７０を取り付けることで、前扉５０が本体キャビネット１１から取り外されることを規制するとよい。本別例では、前扉５０が制御部品搭載部材として機能する。
【００９７】
・制御ユニット３０には、基板３５〜３７に加えて、又は代えて制御信号を中継する中継基板が搭載されていてもよい。
・リールユニット３２は、本体キャビネット１１内に固定されていてもよい。即ち、制御ユニット３０には、リールユニット３２が搭載されていなくてもよい。
【００９８】
・有効ラインＮＬは、複数設定されていてもよい。
・各基板３５〜３７の構成を変更してもよい。例えば、副統括基板３６と副基板３７の機能を統合した単一の基板を備えていてもよい。また、副基板３７に代えて、演出表示装置５２を専門に制御する表示制御基板、スピーカＳＰを専門に制御する音声制御基板、及び装飾ランプＬＡを専門に制御するランプ制御基板を備えていてもよい。
【００９９】
・制御ユニット３０は、本体キャビネット１１における開口部１１ａの上縁部、右縁部、及び下縁部の何れかに対して回動可能に支持されていてもよい。同様に、前扉５０は、本体キャビネット１１における開口部１１ａの上縁部、右縁部、及び下縁部の何れかに対して回動可能に支持されていてもよい。
【０１００】
・本体キャビネット１１に設けられる支軸部の個数や配設位置を変更してもよい。例えば、制御ユニット３０を小型に構成するのであれば、前後方向における左壁板１３の中央部分などに支軸部が位置するように取付金具１９を固定してもよい。そして、支持部の個数や配設位置にあわせて、制御ユニット３０、及び前扉５０の軸孔部の個数や配設位置を変更するとよい。
【０１０１】
・取付金具１９は、左壁板１３に対して直接固定されていなくてもよい。例えば、左壁板１３に設けられた筐体部材としての取付部材に対して取付金具１９を固定してもよい。
・演出表示装置５２は非透過型液晶ディスプレイであってもよい。また、演出表示装置５２は、プラズマディスプレイや、有機ＥＬディスプレイであってもよい。
【０１０２】
・本体キャビネット１１は、全体が一体に形成された部材であってもよい。この場合、本体キャビネット１１は、その全体を筐体部材として把握できる。
・本体キャビネット１１は、後壁板１５を省略した枠状であってもよい。また、本体キャビネット１１は、底板１２、左壁板１３、右壁板１４、及び天板１６の一部を省略した箱状であってもよい。
【０１０３】
・遊技媒体として遊技球（パチンコ球）を用いるスロットマシン（所謂、パロット）として具体化してもよい。
・遊技媒体として遊技球（パチンコ球）を用いるパチンコ遊技機として具体化してもよい。パチンコ遊技機は、遊技店などにおける島設備に機本体を固定するための枠状の筐体（外枠）と、該筐体の一縁部に対して回動可能に軸支された制御ユニット（中枠）と、該制御ユニットの前面を覆う前扉（前枠）とを備える。パチンコ遊技機における制御ユニットには、大当りか否かの大当り抽選を行う主基板や、複数の演出実行装置をそれぞれ専門に制御する副基板群、及び副基板群を統括的に制御する副統括基板を含む遊技盤が搭載されている。そして、制御ユニットを軸支する軸支部に対して、規制部材７０を取り付けることにより、制御ユニットが筐体から取り外されることを規制できるとともに、規制部材７０の取付けを簡便にできる。なお、パチンコ遊技機においても、筐体は箱状であってもよい。
【０１０４】
次に、上記実施形態及び別例から把握できる技術的思想を以下に追記する。
（イ）前記筐体部材及び前記制御部品搭載部材のうち前記第３係合部を備えている部材の取付部と、前記第３係合部とは、１つの部材として構成されている。
【０１０５】
（ロ）前記規制部材は、前記第１係合部と前記第２係合部とを連結する連結部をさらに備え、前記連結部は、前記筐体部材及び前記制御部品搭載部材のうち前記第２係合部と係合する部材側の幅よりも該部材とは反対側の幅の方が広い。
【０１０６】
（ハ）前記規制部材は、前記第１係合部を前記支軸に取り付けた状態において、前記支軸を中心とした回動方向のうち前記第３係合部に向かう方向へ傾動する。
【符号の説明】
【０１０７】
１０…スロットマシン（遊技機）、１１…本体キャビネット（筐体）、１３…左壁板（筐体部材）、１９…取付金具、２２…第２支軸部（第１取付部）、２２ｂ…支軸、２４…係合部材（第３係合部）、２５，２５ａ…挿通孔（固定部）、２６，２６ａ…ネジ（固定部）、３９…第２軸孔部（第２取付部）、３９ａ…軸孔、３０…制御ユニット（制御部品搭載部材）、３５…主基板（制御部品）、３６…副統括基板（制御部品）、３７…副基板（制御部品）、７０…規制部材、７１…第１係合部、７５…連結部、７７…第２係合部、７８…係合片。
【図１】
0006297446.tif 000002
【図２】
0006297446.tif 000003
【図３】
0006297446.tif 000004
【図４】
0006297446.tif 000005
【図５】
0006297446.tif 000006
【図６】
0006297446.tif 000007
【図７】
0006297446.tif 000008
【図８】
0006297446.tif 000009
【図９】
0006297446.tif 000010
【図１０】
0006297446.tif 000011
【図１１】
0006297446.tif 000012
【図１２】
0006297446.tif 000013
【図１３】
0006297446.tif 000014
【図１４】
0006297446.tif 000015
【図１５】
0006297446.tif 000016
【図１６】
0006297446.tif 000017
【図１７】
0006297446.tif 000018
【図１８】
0006297446.tif 000019
【図１９】
0006297446.tif 000020